(57)【要約】      （修正有）【課題】地震で目地部が狭くなると床用目地プレートの後端部を上方へ押し上げることができるとともに、その押し上げ構造が簡単で、設置作業が容易なで床用目地装置を提供する。【解決手段】一方の躯体３の目地部側床面に形成された目地プレートスライド支持凹部５と、他方の躯体３の目地部側床面に形成された目地プレート支持凹部６と、目地プレート支持凹部６に後端部が支持され、先端部が目地プレートスライド支持凹部５に支持された床用目地プレート７と、床用目地プレート７の後端部を上方へ回動移動できるように他方の躯体に取付ける取付け具８と、他方の躯体３に固定された支持台１８、支持台１８の上面に固定されたガイド筒２２、ガイド筒２２内に回動可能で、かつ上方へスライド移動できる押し上げ杆２３、地震で目地部が狭くなると、押し上げ杆を上方へ押し上げる床用目地プレート押し上げ装置９とで床用目地装置１を構成している。【選択図】図２
2014077298.tif 000002
【特許請求の範囲】
【請求項１】
目地部を介して設けられた左右の躯体の一方の躯体の目地部側床面に、反目地部側が傾斜面に形成された目地プレートスライド支持凹部と、前記左右の躯体の他方の躯体の前記目地プレートスライド支持凹部と対応する目地部側床面に形成された目地プレート支持凹部と、この目地プレート支持凹部に後端部が支持され、先端部が前記目地プレートスライド支持凹部に支持された前記目地部を覆う床用目地プレートと、この床用目地プレートの後端部を該床用目地プレートの先端部が上方へ回動移動できるように前記他方の躯体に取付ける取付け具と、前記床用目地プレートの後部の下部位置の他方の躯体に固定された支持台、この支持台の上面に固定された外周に傾斜面の切り欠きが形成されたガイド筒、このガイド筒内に回動可能で、かつ上方へスライド移動して前記床用目地プレートの後部を押し上げることができる押し上げ杆、この押し上げ杆に前記切り欠きを介して一端部が固定され、他端部が前記一方の躯体の目地部側部位に直角よりも小さな角度で当接する、地震で目地部が狭くなると前記切り欠きの傾斜面に沿って移動することによって、前記押し上げ杆を上方へ押し上げるアームとからなる床用目地プレート押し上げ装置とからなることを特徴とする床用目地装置。
【請求項２】
床用目地プレート押し上げ装置は床用目地プレートの後部下部位置の他方の躯体に固定された支持台と、この支持台の上面に固定された対称部分に傾斜面の切り欠きを有するガイド筒と、このガイド筒の中心部に固定された支持軸と、該ガイド筒の内壁面に回転可能で、かつ前記床用目地プレートの後部を押し上げることができる筒状の押し上げ杆と、この押し上げ杆に前記切り欠きを介して一端部が固定され、他端部が前記一方の躯体の目地部側部位に、直角よりも小さな角度で当接する、地震で目地部が狭くなると前記切り欠きの傾斜面に沿って移動することによって、前記押し上げ杆を上方へ押し上げるアームと、この押し上げアームが取付けられた部位と対応する部位の、前記押し上げ杆に固定された切り欠きの傾斜面と当接するガイド片と、前記アームを一方の躯体の目地部側部位に、直角よりも小さな角度で当接させる前記切り欠きに形成したストッパー、あるいは押し上げ杆に設けたストッパーとで構成されたことを特徴とする請求項１記載の床用目地装置。
【請求項３】
地震で目地部が狭くなると、床用目地プレートの先端部が目地プレートスライド支持凹部の傾斜面に沿って上昇するのと、床用目地プレート押し上げ装置で床用目地プレートの後部が押し上げられるのがほぼ同一となるように設定されるとともに、床用目地プレート押し上げ装置は床用目地プレートの中央部に１個あるいは両側部寄りに２個配置されていることを特徴とする請求項１、２いずれかに記載の床用目地装置。
【発明の詳細な説明】
【技術分野】
【０００１】
本発明は目地部を介して設けられた左右の建物を含む左右の躯体の目地部を覆う床用目地装置に関する。
【背景技術】
【０００２】
従来、床用目地装置は左右の躯体間の目地部が地震で狭くなると、該目地部を覆っていた床用目地プレートの先端部が上方へ押し上げられるようにスライド移動して危険になるため、床用目地プレートの後端部を床用目地プレートの後部底面に固定した傾斜面が形成された、せり上げプレートを、せり上げバーを用いたせり上げ機構を用いて上方へ押し上げていた。
【０００３】
しかしながら、このように構成された床用目地装置は、せり上げバーをせり上げプレートの傾斜面に沿って移動させることにより、床用目地プレートを上方へ移動させるため、せり上げバーやせり上げプレートに大きな力が加わるため、十分な強度を有する構造にしなければならないとともに、床用目地プレートの底面にせり上げプレートを固定しなければならず、その作業が大変であるとともに、床用目地装置の設置作業に苦労するという欠点があった。
【先行技術文献】
【特許文献】
【０００４】
【特許文献１】特許第３４０２３０７号公報
【特許文献２】特許第３４０９３１２号公報
【発明の概要】
【発明が解決しようとする課題】
【０００５】
本発明は以上のような従来の欠点に鑑み、地震で目地部が狭くなるとスムーズに床用目地プレートの後端部を上方へ押し上げることができるとともに、その押し上げ構造が簡単で、床用目地プレートを加工しなくても設置することができ、その設置作業が容易で、楽に行なうことができる床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して設けられた左右の躯体の一方の躯体の目地部側床面に、反目地部側が傾斜面に形成された目地プレートスライド支持凹部と、前記左右の躯体の他方の躯体の前記目地プレートスライド支持凹部と対応する目地部側床面に形成された目地プレート支持凹部と、この目地プレート支持凹部に後端部が支持され、先端部が前記目地プレートスライド支持凹部に支持された前記目地部を覆う床用目地プレートと、この床用目地プレートの後端部を該床用目地プレートの先端部が上方へ回動移動できるように前記他方の躯体に取付ける取付け具と、前記床用目地プレートの後部の下部位置の他方の躯体に固定された支持台、この支持台の上面に固定された外周に傾斜面の切り欠きが形成されたガイド筒、このガイド筒内に回動可能で、かつ上方へスライド移動して前記床用目地プレートの後部を押し上げることができる押し上げ杆、この押し上げ杆に前記切り欠きを介して一端部が固定され、他端部が前記一方の躯体の目地部側部位に直角よりも小さな角度で当接する、地震で目地部が狭くなると前記切り欠きの傾斜面に沿って移動することによって、前記押し上げ杆を上方へ押し上げるアームとからなる床用目地プレート押し上げ装置とで床用目地装置を構成している。
【発明の効果】
【０００８】
以上の説明から明らかなように、本発明にあっては次に列挙する効果が得られる。
（１）請求項１により、ガイド筒内に回動可能で、かつ上方へスライド移動する床用目地プレートの後部を押し上げる押し上げ杆を用いているので、床用目地プレートに床用目地プレート押し上げ装置を取付けることなく、設置作業が楽で、容易に行なうことができる。
（２）前記（１）により、押し上げ杆をガイド筒の切り欠きの傾斜面と、一方の躯体によって押し圧されて回転するアームで回動させながら上方へ移動させるので、スムーズに押し上げ杆を回動させるとともに、上方へ移動させることができる。
（３）前記（１）により、押し上げ杆をガイド筒内で回動と上方へスライド移動させるため、従来のように衝突的にぶつかることなく、回動させるだけであるため、壊れずらく、耐久性の向上を図ることができる。
（４）前記（１）により、アームをガイド筒内に挿入された押し上げ杆に固定されているため、その取付けが容易で、かつ従来のように取付け金具が不要で、容易に設置することができる。
（５）請求項２も前記（１）〜（４）と同様な効果が得られるとともに、押し上げ杆が偏心することなく、さらにスムーズに回動や上方への移動をよりスムーズに行なわせることができる。
（６）請求項３も前記（１）〜（４）と同様な効果が得られる。
【図面の簡単な説明】
【０００９】
【図１】本発明を実施するための第１の形態の平面図。
【図２】図１の２−２線に沿う断面図。
【図３】図１の３−３線に沿う断面図。
【図４】本発明を実施するための第１の形態の床用目地プレート押し上げ装置の平面図。
【図５】本発明を実施するための第１の形態の床用目地プレート押し上げ装置の側面図。
【図６】本発明を実施するための第１の形態の目地部が狭くなった床用目地プレート押し上げ装置の平面図。
【図７】図６の側面図。
【図８】本発明を実施するための第１の形態の目地部が狭くなった状態の説明図。
【図９】本発明を実施するための第１の形態の目地部が広くなった状態の説明図。
【図１０】本発明を実施するための第２の形態の平面図。
【図１１】図１０の１１−１１線に沿う断面図。
【図１２】本発明を実施するための第２の形態の床用目地プレート押し上げ装置の平面図。
【図１３】本発明を実施するための第３の形態の平面図。
【図１４】図１３の１４−１４線に沿う断面図。
【図１５】図１３の１５−１５線に沿う断面図。
【発明を実施するための形態】
【００１０】
以下、図面に示す本発明を実施するための形態により、本発明を詳細に説明する。
【００１１】
図１ないし図９に示す本発明を実施するための第１の形態において、１は目地部２を介して設けられた左右の建物を含む左右の躯体３、３間を覆う本発明の床用目地装置で、この床用目地装置１は前記左右の躯体３、３の一方の躯体３の目地部側床面に、反目地部側が傾斜面４に形成された目地部２の幅寸法Ｌとほぼ同じ幅寸法に形成された目地プレートスライド支持凹部５と、この目地プレートスライド支持凹部５と対応する他方の躯体３の目地部側床面に形成された目地プレート支持凹部６と、この目地プレート支持凹部６に後端部が支持され、先端部が前記目地プレートスライド支持凹部５に支持された前記目地部を覆う床用目地プレート７と、この床用目地プレート７後端部を該床用目地プレート７の先端部が上方へ回動できるように前記他方の躯体３の目地プレート支持凹部６に取付ける取付け具８と、前記左右の躯体３、３が地震で目地部が狭くなり、床用目地プレート７の先端部が前記傾斜面４に沿って上方へ移動すると、後部を上方へ押し上げる床用目地プレート押し上げ装置９とで構成されている。
【００１２】
前記床用目地プレート７は、図２に示すように金属材で浅皿状に形成された床用目地プレート本体１０と、この床用目地プレート本体１０の前方と後方の上部にヒンジ部材１１、１１を介して回動可能に取付けられたカバープレート１２、１２と、前記床用目地プレート本体１０内に充填されたモルタルやコンクリート１３と、このモルタルやコンクリート１３の上面に、必要に応じて設置されるレンガやタイル等の床化粧板１４とで構成されている。
【００１３】
前記取付け具８は前記床用目地プレート７の両側後部に底面が開口する係合ピン収納ボックス１５、１５と、この係合ピン収納ボックス１５、１５内に頭部１６ａが挿入され、前記床用目地プレート７の上下移動が可能に係止する、前記目地プレート支持凹部６の他方の躯体３に固定された係合ピン１６、１６とで構成されている。
【００１４】
前記床用目地プレート押し上げ装置９は前記床用目地プレート７の後部中央部の下部位置の他方の躯体３に複数個のアンカーピン１７で固定されたアングル材製の支持台１８と、この支持台１８の上面に固定された対応する外周に傾斜面１９とストッパーとなる垂直面２０の切り欠き２１、２１が形成されたガイド筒２２と、このガイド筒２２内に回転可能で、かつ上方へスライド移動して、前記床用目地プレート７の後部を押し上げることができる押し上げ杆２３と、この押し上げ杆２３に前記切り欠き２１を介して一端部が固定され、他端部が前記一方の躯体３の目地部側部位に直角よりも小さな角度で当接する、地震で目地部が狭くなると前記切り欠き２１の傾斜面１９に沿って移動することによって、前記押し上げ杆２３を上方へ押し上げるアーム２４と、前記押し上げ杆２３必要によっては固定された、前記アーム２４が前記切り欠き２１の傾斜面１９と接触する状態と同じように、前記切り欠き２１の傾斜面１９と当接するガイド片２５とからなり、前記アーム２４が直角よりも小さな角度位置で前記切り欠き２１のストッパーとしての垂直面２０と当接して、地震時の揺れ動きにアーム２４がスムーズに一方の躯体３の押し圧力で回動できるように設定されている。
【００１５】
なお、本発明の実施の形態では目地プレートスライド支持凹部５や目地プレート支持凹部６に直接床用目地プレート７を設置したものについて説明したが、本発明はこれに限らず、必要に応じて目地プレートスライド支持凹部５や目地プレート支持凹部６の上面を金属材製の下地材で覆ってもよい。
【００１６】
上記構成の床用目地装置１は、通常時には図１および図２に示すように左右の躯体３、３間の目地部２は床用目地プレート７で、ほぼ同一面状態で覆われ、人や車両が安全に通行することができる。
【００１７】
地震で、図８に示すように目地部２の幅寸法が狭くなると、左右の躯体３、３が近づくため、床用目地プレート７の上端部が床用目地プレートスライド支持凹部５、傾斜面４をスライド移動し、上方へ押し上げられるとともに、床用目地プレート７の後部は床用目地プレート押し上げ装置９のアーム２４が一方の躯体３によって押し付けられ、ガイド筒２２内の押し上げ杆２３を回動させる。
【００１８】
このアーム２４の押し上げ杆２３を回動させる動作で、該アーム２４は切り欠き２１の傾斜面１９に沿って上方へ移動するため、押し上げ杆２３も回動しながら上方へ移動し、床用目地プレート７の後部を上方へ押し上げる。
【００１９】
このため、地震で目地部が狭くなると床用目地プレート７の先端部は傾斜面４で上方へ移動され、後部は床用目地プレート押し上げ装置９で上方へ押し上げられ、床用目地プレート７が傾斜状態となることなく、ほぼ水平状態で上下移動させる。
【００２０】
なお、床用目地プレート７をほぼ水平状態で上下移動させるために、傾斜面４の傾斜とアーム２４の回動によって、該アーム２４がガイド筒２２の傾斜面１９に沿って上方へ移動する移動量を同じに設定することにより、ほぼ水平状態で床用目地プレート７を上方へ移動させることができる。
【００２１】
この時、床用目地プレート７の両端部のカバープレート１２、１２によって、該両端部は傾斜面２６、２６となり、安全に使用することができる。  
【００２２】
なお、地震での揺れ動きが停止すると、床用目地プレート７の自重で押し上げ杆２３やアーム２４が自動的に元の状態へ戻る。
【００２３】
地震によって、図９に示すように目地部２が広くなると、床用目地プレート７の先端部が目地プレートスライド支持凹部５上をスライド移動して、その揺れ動きを吸収する。
なお、地震での揺れ動きが停止すると、自動的に元の状態へ戻る。  
【００２４】
[発明を実施するための異なる形態]
次に、図１０ないし図１５に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２５】
図１０ないし図１２に示す本発明を実施するための第２の形態において、前記本発明を実施するための第１の形態と主に異なる点は、ガイド筒２２の中心部に支持軸２７を固定するとともに、該支持軸２７によって回動可能で上下移動できる筒状の押し上げ杆２３Ａを使用した床用目地プレート押し上げ装置９Ａを用いた点で、このような床用目地プレート押し上げ装置９Ａを用いて構成した床用目地装置１Ａにしても、前記本発明を実施するための第１の形態と同様な作用効果が得られるとともに、支持軸２７により、よりスムーズに押し上げ杆２３Ａを上方へスライド移動させることができる。
【００２６】
図１３ないし図１５に示す本発明を実施するための第３の形態において、前記本発明を実施するための第１の形態と主に異なる点は、床用目地プレート７の中央部と両端部との中間部に位置するように床用目地プレート押し上げ装置９、９を配置した点で、このように床用目地プレート押し上げ装置９、９を配置した床用目地装置１Ｂにしても、前記本発明を実施するための第１の形態と同様な作用効果が得られるとともに、より床用目地プレート７を安定状態で支持することができる。
【００２７】
なお、床用目地プレートの両側後端底面に係合ピンを突出させ、目地プレート支持凹部に該係合ピンをスライド移動可能に支持するガイド筒を埋設した取付け具を用いてもよい。
【産業上の利用可能性】
【００２８】
本発明は目地部を介した左右の躯体間の床目地部を覆う床用目地装置を製造する産業で利用される。
【符号の説明】
【００２９】
１、１Ａ、１Ｂ：床用目地装置、２：目地部、
３：躯体、        ４：傾斜面、
Ｌ：目地部の幅寸法、    
５：目地プレートスライド支持凹部、  
６：目地プレート支持凹部、  ７：床用目地プレート、
８：取付け具、
９、９Ａ：床用目地プレート押し上げ装置、
１０：床用目地プレート本体、  １１：ヒンジ部材、
１２：  カバープレート、    １３：モルタルやコンクリート、
１４：床化粧板、      １５：係合ピン収納ボックス、
１６：係合ピン、      １７：アンカーピン、
１８：支持台、      １９：傾斜面、
２０：ストッパーとなる垂直面、  ２１：切り欠き、
２２：ガイド筒、      ２３、２３Ａ：押し上げ杆、
２４：アーム、      ２５：ガイド片、  
２６：傾斜面、      ２７：支持軸。
【図１】
2014077298.tif 000003
【図２】
2014077298.tif 000004
【図３】
2014077298.tif 000005
【図４】
2014077298.tif 000006
【図５】
2014077298.tif 000007
【図６】
2014077298.tif 000008
【図７】
2014077298.tif 000009
【図８】
2014077298.tif 000010
【図９】
2014077298.tif 000011
【図１０】
2014077298.tif 000012
【図１１】
2014077298.tif 000013
【図１２】
2014077298.tif 000014
【図１３】
2014077298.tif 000015
【図１４】
2014077298.tif 000016
【図１５】
2014077298.tif 000017